(57)【要約】構造体組立セット用の連結可能な要素（10）は、少なくとも部分的に平坦である本体（12）と、第１の回転軸（38）の周りに配置されたＡタイプ及びＢタイプのコネクタ対（16）ならびに第２の回転軸（40）の周りに配置されたＡタイプ及びＢタイプのコネクタ対（18）を一体的に設けたコネクタ縁部（14）とを有する。当該第１及び第２の回転軸は指定寸法のほぼ直角をなす四辺形に対向する面上に配置される。
2005524502.tif 000002
【特許請求の範囲】
【請求項１】
構造体組立セット用の連結可能な要素であって、少なくとも部分的に平坦である本体と、第１の回転軸の周りに配置された第１のＡタイプ及びＢタイプのコネクタ対ならびに第２の回転軸の周りに配置された第２のＡタイプ及びＢタイプのコネクタ対を一体的に設けているコネクタ縁部とを有し、
前記コネクタ縁部として、前記第１及び第２の回転軸は、ほぼ直角をなし指定寸法を有する四辺形と対向する面上に配置され、当該四辺形の対角線上で対向する１対の各頂点が前記Ａタイプのコネクタの各々に対し内側に位置しており、且つ、当該四辺形の対角線上で対向する他の対の各頂点が前記Ｂタイプのコネクタの各々に対し内側に位置しており、
前記四辺形は、一般には前記少なくとも部分的に平坦である本体の平面とほぼ直角な平面内に配置されており、さらに、
前記コネクタ対は、もう一つの前記要素のコネクタ対との回転連結結合に適応していることを特徴とする前記構造体組立セット用の連結可能な要素。
【請求項２】
第１の連結可能な要素と第２の連結可能な要素とからなり、前記第１及び第２の連結可能な要素の各々は少なくとも部分的に平坦である本体と、第１の回転軸の周りに配置された第１のＡタイプ及びＢタイプのコネクタ対ならびに第２の回転軸の周りに配置された第２のＡタイプ及びＢタイプのコネクタ対を一体的に設けているコネクタ縁部とを有し、
前記コネクタ縁部として、前記第１及び第２の回転軸は、ほぼ直角をなし指定寸法を有する四辺形と対向する面上に配置され、当該四辺形の対角線上で対向する１対の各頂点が前記Ａタイプのコネクタの各々に対し内側に位置しており、且つ、当該四辺形の対角線上で対向する他の対の各頂点が前記Ｂタイプのコネクタの各々に対し内側に位置しており、
前記四辺形は、一般には前記それぞれの連結可能な要素の少なくとも部分的に平坦である本体の平面とほぼ直角な平面内に配置されており、さらに、
前記第１の要素のコネクタ対は、前記第２の要素のコネクタ対との回転連結結合に適合していることを特徴とする構造体組立セット。
【請求項３】
前記要素が連結されており、当該連結された要素の前記少なくとも部分的に平坦な本体の平面間の角度が所定の閾値より小さくなったとき、当該要素が互いに開放するようになっている請求項２に記載の構造体組立セット。
【請求項４】
前記Ａタイプのコネクタは前記Ｂタイプのコネクタと結合可能である請求項２に記載の構造体組立セット。
【請求項５】
前記第１の要素のコネクタ縁部と前記第２の要素のコネクタ縁部はそれぞれ、前記第１の回転軸の周りに配置された第３のＡタイプ及びＢタイプのコネクタ対ならびに前記第２の回転軸の周りに配置された第４のＡタイプ及びＢタイプのコネクタ対を一体的に設けているようにした請求項２に記載の構造体組立セット。
【請求項６】
第２のほぼ直角をなす四辺形の対角線上で対向する頂点が、前記第３及び第４のコネクタ対の前記各Ａタイプコネクタ及び前記各Ｂタイプコネクタに対しそれぞれ内側に位置している請求項５に記載の構造体組立セット。
【請求項７】
前記第１の要素のコネクタ縁部と前記第２の要素のコネクタ縁部はそれぞれ、前記第１の回転軸の周りに配置された第１のＣタイプ及びＤタイプのコネクタ対ならびに前記第２の回転軸の周りに配置された第２のＣタイプ及びＤタイプのコネクタ対を一体的に設けているようにした請求項２に記載の構造体組立セット。
【請求項８】
第２のほぼ直角をなす四辺形の対角線上で対向する一対の各頂点が前記Ｃタイプの各コネクタに対し内側に位置しており、さらに当該第２の四辺形の対角線上で対向する他の一対の各頂点が前記Ｄタイプの各コネクタに対し内側に位置している、請求項７に記載の構造体組立セット。
【請求項９】
前記第１の要素が前記第２の要素に対し向きを変えるか否かに関わらず、前記第１の要素のコネクタ対は前記第２の要素のコネクタ対との回転連結結合に適合するようにした請求項２に記載の構造体組立セット。
【請求項１０】
前記第１の要素の各コネクタ対が前記第２の要素のコネクタ対と結合されたとき、前記第１の要素と第２の要素はほぼ同一平面となる請求項２に記載の構造体組立セット。
【請求項１１】
前記第１の要素の一方のコネクタ対のみが前記第２の要素のコネクタ対と結合されたときには、前記第１の要素と第２の要素とが同一平面とならない請求項２に記載の構造体組立セット。
【請求項１２】
本体と、第１の回転軸の周りに配置された第１のＡタイプ及びＢタイプのコネクタ対ならびに第２の回転軸の周りに配置された第２のＡタイプ及びＢタイプのコネクタ対を一体的に設けているコネクタ縁部とを有する第３の連結可能な要素からなり、前記第３の要素のコネクタ対は、前記各第１の要素及び第２の要素のコネクタ対との回転連結結合に適合する請求項２に記載の構造体組立セット。
【請求項１３】
（ａ）前記第１の要素の１つの前記コネクタ対が前記第２の要素の１つの適合するコネクタ対と結合し、（ｂ）前記第２の要素の他方の前記コネクタ対が前記第３の要素の１つの適合する前記コネクタ対と結合し、さらに、（ｃ）前記第３の要素の他の前記コネクタ対が前記第１の要素の前記適合する他の前記コネクタ対と結合する場合、前記第１、２及び３の要素は非回転状態で連結される請求項１２に記載の構造体組立セット。
【請求項１４】
前記第１、第２及び第３の連結可能な要素の各々は第２のコネクタ縁部を有し、前記各第２のコネクタ縁部が、第１の回転軸の周りに配置された第１のＡタイプ及びＢタイプのコネクタ対ならびに第２の回転軸の周りに配置された第２のＡタイプ及びＢタイプのコネクタ対を一体的に設けており、さらに、
前記各要素の前記各Ａタイプ及びＢタイプのコネクタ対は、任意の他の前記要素の前記各Ａタイプ及びＢタイプのコネクタ対との回転結合に適合するものである請求項１２に記載の構造体組立セット。
【請求項１５】
（ａ）前記第１の要素の前記コネクタ縁部に一体的に設けた１つの前記コネクタ対が前記第２の要素の１つのコネクタ縁部に一体的に設けた１つの適合する前記コネクタ対と結合し、（ｂ）前記第２の要素のもう１つの前記コネクタ縁部に一体的に設けた１つの前記コネクタ対が、前記第３の要素の１つの前記コネクタ縁部に一体的に設けた１つの適合する前記コネクタ対と結合し、さらに、（ｃ）前記第３の要素のもう１つの前記コネクタ縁部に一体的に設けた１つの前記コネクタ対が、前記第１の要素のもう１つの前記コネクタ縁部に一体的に設けた１つの適合する前記コネクタ対と結合する場合、前記第１、２及び３の要素は非回転状態で連結されるようにした請求項１４に記載の構造体組立セット。
【請求項１６】
前記第１の要素の前記コネクタ対は、前記第２の要素の前記コネクタ対との回転連結結合に適合しており、さらに、
前記第１の連結可能な要素の前記各コネクタは、１つの表面部分または２以上の分離した明確に区別できる表面部分を有しており、少なくとも前記コネクタのある部分が前記第２の連結可能な要素の前記各適合するコネクタの、１つの表面部分または２以上の分離した明確に区別できる表面部分に接触し、それにより前記回転連結された少なくとも部分的に平坦な本体のそれぞれの平面間の所定の小さい閾値より大きい任意の角度で前記要素を回転連結するようにした請求項２に記載の構造体組立セット。
【請求項１７】
各連結可能な要素に対して、少なくとも前記第１のコネクタ対のＡタイプのコネクタの表面部分の一部はまた、前記第２のコネクタ対のＢタイプの表面部分の少なくとも一部である請求項１６に記載の構造体組立セット。
【請求項１８】
前記組立セットは玩具としての利用に適応するものである請求項２に記載の構造体組立セット。
【請求項１９】
前記組立セットは教育用に適応するものである請求項２に記載の構造体組立セット。
【請求項２０】
前記第１の要素のコネクタ対は、前記第２の要素のコネクタ対と結合しており、少なくとも結合しているコネクタ対のある部分が少なくとも一時的に変形されるものである請求項２に記載の構造体組立セット。
【請求項２１】
前記変形は、少なくとも一時的に変形されているそれぞれのコネクタ対の回転軸に平行な方向成分を有する請求項２０に記載の構造体組立セット。
【請求項２２】
前記変形は、少なくとも一時的に変形されているそれぞれのコネクタ対を有する前記連結可能な要素の少なくとも部分的に平坦な本体の前記平面に垂直な方向成分を有する請求項２０に記載の構造体組立セット。
【請求項２３】
さらに、連結結合のために前記第１の連結可能な要素の少なくとも１つの前記コネクタ対に適合する少なくとも１つのコネクタ対を一体的に設けているコネクタ縁部を有する第３の連結可能な要素からなる請求項２に記載の構造体組立セット。
【発明の詳細な説明】
【発明の背景と概要】
【０００１】
本発明は一般には構造体組立セット用の連結可能な要素に関する。そのような組立セットは、特に玩具としておよび／または教育用に有用であるが、それらはまたビル、家具及び展示装置のような他の構造体の組立用に利用可能である。
【０００２】
本発明は特に、それぞれが、少なくとも部分的に平坦である本体と、第１及び第２の回転軸の周りに配置したコネクタを一体的に設けている２以上のコネクタ縁部とを有する連結可能な要素の改良を対象とする。
【０００３】
こうした特長を有する構造体組立セット用の連結可能な要素は、発明者フェイによるドイツ国特許第617011号明細書及び米国特許第2,057,942号明細書に開示されている。フェイによる両特許で開示された実施例において、それぞれの連結可能な要素のコネクタ縁部に一体的に設けたコネクタは、通常の蝶番のように、１つの要素のコネクタが中間にあるピンによりもう１つの要素のコネクタと結合されるようにしたヒンジ耳タイプの腕蝶番である。
【０００４】
本発明は、構造体組立セット用の連結可能な要素であって、少なくとも部分的に平坦である本体と、第１の回転軸の周りに配置された第１のＡタイプ及びＢタイプのコネクタ対ならびに第２の回転軸の周りに配置された第２のＡタイプ及びＢタイプのコネクタ対を一体的に設けているコネクタ縁部とを有し、前記コネクタ縁部として、前記第１及び第２の回転軸は、ほぼ直角をなし指定寸法を有する四辺形に対向する面上に配置され、当該四辺形の対角線上で対向する１対の各頂点が前記Ａタイプのコネクタの各々に対し内側に位置しており、且つ、当該四辺形の対角線上で対向する他の対の各頂点が前記Ｂタイプのコネクタの各々に対し内側に位置しており、前記四辺形は、一般には前記少なくとも部分的に平坦である本体の平面とほぼ直角な平面内に配置されており、さらに、前記コネクタ対は、もう一つの前記要素のコネクタ対との回転連結結合に適応している構造体組立セット用の連結可能な要素を提供するものである。結合されるコネクタ対とは、１つのコネクタ対の少なくとも１つのコネクタがもう一つのコネクタ対のコネクタに少なくとも部分的に組み込まれるコネクタ対である。
【０００５】
本発明は、また、第１の連結可能な要素と第２の連結可能な要素とからなり、前記第１及び第２の連結可能な要素の各々は少なくとも部分的に平坦である本体と、第１の回転軸の周りに配置された第１のＡタイプ及びＢタイプのコネクタ対ならびに第２の回転軸の周りに配置された第２のＡタイプ及びＢタイプのコネクタ対を一体的に設けているコネクタ縁部とを有し、前記第１及び第２の回転軸は、前記コネクタ縁部として、ほぼ直角をなし指定寸法を有する四辺形に対向する面上に配置され、当該四辺形の対角線上で対向する１対の各頂点が前記Ａタイプのコネクタの各々に対し内側に位置しており、且つ、当該四辺形の対角線上で対向する他の対の各頂点が前記Ｂタイプのコネクタの各々に対し内側に位置しており、前記四辺形は、一般には前記それぞれの連結可能な要素の少なくとも部分的に平坦である本体の平面とほぼ直角な平面内に配置されており、さらに、前記第１の要素のコネクタ対は、前記第２の要素のコネクタ対との回転連結結合に適合する構造体組立セットを提供する。
【０００６】
好適には、前記第１の要素のコネクタ対は、当該第１の要素が前記第２の要素に対し向きを変えるか否かに関わらず、当該第２の要素のコネクタ対との回転連結結合に適合している。
【０００７】
本発明のその他の特長は、好適実施例の詳細な説明に関連して記載される。
【詳細な説明】
【０００８】
図１、２及び６を参照すると、本発明による個々の連結可能な要素10の１つの好適実施例では、少なくとも部分的に平坦である本体12と複数のコネクタ縁部14を有する。
【０００９】
第１のコネクタ対16と第２のコネクタ対18は、コネクタ縁部14に一体的に設けられている。各コネクタ対は、ＡタイプのコネクタとＢタイプのコネクタを有する。図６に最もよく示されるように、各Ａタイプのコネクタはコネクタ縁部14から延びる柱26に配置された玉24を有し、各Ｂタイプのコネクタは当接用の柱28とコネクタ縁部14から延びる柱26、34、36にそれぞれ配置された３つの玉24、30、32を有する。この実施例では、第１のコネクタ対16のＡタイプのコネクタの玉24はまた、第２のコネクタ対18のＢタイプのコネクタに含まれる。そして、第２のコネクタ対18のＡタイプのコネクタの玉24はまた、第１のコネクタ対16のＢタイプのコネクタに含まれる。
【００１０】
連結可能な要素がプラスチック材料の射出成形により作られる場合、図７に示されるコネクタの形状の方が図６に示されるコネクタ形状よりも好適である。というのは、図６のコネクタを金型部分から取り除くことが複雑になるからである。図７のコネクタ形状は、玉24の配置の点で図６のコネクタ形状と相違している。即ち、図６に示されるように、分離している柱26よりもむしろＢタイプのコネクタの柱28aが横方向に延設された先端部に玉24が配置されている。それにもかかわらず、図６のコネクタ形状の例示はこの実施例の詳細を説明する目的に対しふさわしいと考えられる。
【００１１】
Ａタイプのコネクタは、Ｂタイプのコネクタと開放可能でありながら連結可能である。Ａタイプのコネクタの玉24の直径は、Ｂタイプのコネクタの３つの玉24、30、32の間の開口よりも若干大きい。そしてさらに、柱26、34、36は若干の屈曲性を有しており、それによりＡタイプのコネクタの玉24は、Ｂタイプのコネクタの３つの玉24、30、32の間の開口を介して且つ当接用の柱28に向け押し分け入ることが可能であり、その結果、ＡタイプのコネクタとＢタイプのコネクタと間に開放可能な連結結合をもたらす。
【００１２】
図２を参照すると、第１のコネクタ対16は第１の回転軸38の周りに配置され、さらに第２のコネクタ対18が第２の回転軸40の周りに配置されている。各コネクタ縁部14として、第１の回転軸38と第2の回転軸40は、ほぼ直角をなし指定寸法を有する四辺形42に対向する面上に配置されており、当該四辺形42の対角線上で対向する１対の各頂点がＡタイプのコネクタの各々に対し内側に位置しており、当該四辺形42の対角線上で対向する他の対の各頂点がＢタイプのコネクタの各々に対し内側に位置しており、さらに、前記四辺形42は、一般には、連結可能な要素10の少なくとも部分的に平坦である本体12の平面とほぼ直角な平面内に配置されている。
【００１３】
本発明による構造体組立セットの各連結可能な要素10のＡタイプ及びＢタイプのコネクタ対16、18は、１つの要素10が任意の他の要素10に対して向きを変えられるか否かに関わらず、構造体組立セットの他の連結可能な要素10の各々のそれぞれＢタイプ及びＡタイプのコネクタ対16、18との開放可能な回転連結結合に適合している。
【００１４】
１つの連結可能な要素10の１つのコネクタ対が第２の連結可能な要素10の１つのコネクタ対と結合されている場合、当該結合中のコネクタ対の少なくとも一部分は、Ｂタイプのコネクタの玉24、30、32の間の開口が大きくなり、Ａタイプのコネクタの玉24が同開口を通過する間少なくとも一時的に変形される。そのような変形は、少なくとも一時的に変形されているそれぞれのコネクタ対の回転軸に平行な１つの方向成分を有しており、さらに、少なくとも一時的に変形されているそれぞれのコネクタ対を有する連結可能な要素10の少なくとも部分的に平坦である本体12の平面と垂直なもう一つの方向成分を有する。
【００１５】
図１、２及び６に示され且つ関係付けて説明された形状を有する連結可能な要素を含む本発明による組立セットは、また、他の互換性のある連結可能な要素（図示せず）を含み、そこでは、（ａ）１つ以上の当該他の要素の１つ以上の縁部にはそれと共に一体的に設けたコネクタを有せず、（ｂ）１つ以上のコネクタ縁部に一体的に設けた２つより多いコネクタ対があり、（ｃ）平坦である本体の頂部の多角形状は正方形以外のものであり、（ｄ）少なくとも部分的に平坦である本体12は１つ以上の孔および／または１つ以上の平坦でない区画を含んでおり、および／または（ｅ）その本体は少なくとも部分的には平坦でない。
【００１６】
図３を参照すると、第１の連結可能な要素10′の所定のコネクタ縁部に一体的に設けた両方のコネクタ対が第２の連結可能な要素10″の所定のコネクタ縁部に一体的に設けた両方のコネクタ対と結合されている場合、当該第１の要素10′は当該第２の要素10″とほぼ同一平面状にあることが分かる。そのように結合している間、各ＡタイプのコネクタはＢタイプのコネクタの表面の一部と接触しており、従って、各連結可能な要素10′、10″にとっては、第１のコネクタ対のＡタイプのコネクタの表面部分の少なくとも一部はまた、第２のコネクタ対のＢタイプのコネクタの表面部分の少なくとも一部となっている。
【００１７】
図４及び５を参照すると、第１の連結可能な要素10′に関する１つの回転軸の周りで第２の連結可能な要素10″が回転され、その結果、第１の連結可能な要素10′が第２の連結可能な要素10″と同一平面上にない場合、当該第1の要素10′の２つのコネクタ対の一方のみが当該第２の要素10″の２つのコネクタ対の１つと結合していることが分かる。２つの要素10′、10″が連結され、その連結要素10′、10″の平面間の角度が所定の閾値より小さくなった場合、当該２つの要素10′、10″は互いに開放される。この実施例に対する所定の閾値角度は近似的に図５に示される。
【００１８】
第１の連結可能な要素10′の各コネクタは、１つの表面部分または２以上の分離した明確に区別できる表面部分を有しており、少なくとも前記コネクタのある部分が、第２の連結可能な要素10″の各適合するコネクタの、１つの表面部分または２以上の分離した明確に区別できる表面部分に接触し、それにより回転連結された要素10′、10″のそれぞれの平面間の所定の小さい閾値（図５に近似的に示される）より大きい任意の角度で前記要素10′、10″を回転連結する。図３、４及び５を対比すると、第２の要素10″が第１の要素10′に関して回転されるにつれて、第１の要素10′の、Ａタイプのコネクタの玉24の、２以上の分離した明確に区別できる表面部分が、第２の要素10″の第２のコネクタ対の適合するＢタイプのコネクタの柱28″及び玉24″、30″（図１、２及び６の32″）の分離した明確に区別できる表面部分に接触し、それにより当該第１及び第２の要素10′、10″を回転連結することが分かる。そのような各要素10′、10″にとっては、第１のコネクタ対のＡタイプのコネクタの玉24′、24″の結合している表面部分の少なくとも一部はまた、第２のコネクタ対のＢタイプのコネクタの玉24′、24″の表面部分の少なくとも一部となっている。
【００１９】
図８、９及び１０は、１つの連結可能な要素の１つのコネクタ縁部に一体的に設けたコネクタ対の、複数の他の連結可能な要素のコネクタ縁部にそれぞれ一体的に設けたコネクタ対との同時的な連結結合を例示している。
【００２０】
図８を参照すると、図１、２及び６に示され且つ関連付けて説明されている４つの連結可能な要素10a、10b、10c、10dは、各それぞれの要素の所定のコネクタ縁部に一体的に設けた平行な回転軸の周りで互いに同時的に連結されている。第１の要素10aの所定のコネクタ縁部に一体的に設けた２つのコネクタ対は、第２の要素10bの所定のコネクタ縁部に一体的に設けた１つのコネクタ対及び、第３の要素10cの所定のコネクタ縁部に一体的に設けた１つのコネクタ対とそれぞれ結合されている。同様に、第２の要素10bの所定のコネクタ縁部に一体的に設けた２つのコネクタ対は、第１の要素10aの所定のコネクタ縁部に一体的に設けた１つのコネクタ対及び、第４の要素10dの所定のコネクタ縁部に一体的に設けた１つのコネクタ対とそれぞれ結合されている。
【００２１】
図８は、第２の要素10bのＢタイプのコネクタと連結結合下にある第４の要素10dのＡタイプのコネクタ24d、第１の要素10aのＢタイプのコネクタと連結結合下にある第２の要素10bのＡタイプのコネクタ24b及び、第３の要素10cのＢタイプのコネクタと連結結合下にある第１の要素10aのＡタイプのコネクタ24aを示している。
【００２２】
図９を参照すると、図１、２及び６に示され且つ関連付けて説明されている４つの連結可能な要素10a、10b、10c、10dは、各それぞれの要素の所定のコネクタ縁部に一体的に設けた平行な回転軸の周りで交差した構成において互いに同時的に連結されている。各要素の所定のコネクタ縁部に一体的に設けた２つのコネクタ対の各々は他の要素の異なる１つの所定のコネクタ縁部にそれぞれ一体的に設けた１つのコネクタ対と結合している。
【００２３】
図９は、第２の要素10bのＢタイプのコネクタと連結結合下にある第４の要素10dのＡタイプのコネクタ24d、第１の要素10aのＢタイプのコネクタと連結結合下にある第２の要素10bのＡタイプのコネクタ24b、第３の要素10cのＢタイプのコネクタと連結結合下にある第１の要素10aのＡタイプのコネクタ24a及び、第４の要素10dのＢタイプのコネクタと連結結合下にある第３の要素10cのＡタイプのコネクタ24cを示している。
【００２４】
図１０を参照すると、図１、２及び６に示され且つ関連付けて説明されている３つの連結可能な要素10a、10b、10cは、堅牢な非回転の条件下で互いに同時的に連結されている。第１の要素10aの１つのコネクタ対が第２の要素10bの１つの適合するコネクタ対と結合し、第２の要素10bの１つのコネクタ対が第３の要素10cの１つの適合するコネクタ対と結合し、さらに、第３の要素10cの１つのコネクタ対が第１の要素10aの１つの適合するコネクタ対と結合し、それによって前記第１、２及び３の要素10a、10b、10cは非回転状態で連結される。
【００２５】
図１０は、第２の要素10bのＢタイプのコネクタと連結結合下にある第３の要素10cのＡタイプのコネクタ24c、第１の要素10aのＢタイプのコネクタと連結結合下にある第２の要素10bのＡタイプのコネクタ24b及び、第３の要素10cのＢタイプのコネクタと連結結合下にある第１の要素10aのＡタイプのコネクタ24aを示している。
【００２６】
図１１を参照すると、図１、２及び６に示され且つ関連付けて説明されている第１及び第２のコネクタ対を一体的に設けた第１及び第２のコネクタ縁部１４を各々が有する３つの連結可能な要素10a、10b、10cは、堅牢なコーナー部の構造を組立てるために連結されることが可能である。各要素10a、10b、10cのコネクタ縁部の各々は、第１の回転軸の周りに配置された第１のＡタイプ及びＢタイプのコネクタ対と、第２の回転軸の周りに配置された第２のＡタイプ及びＢタイプのコネクタ対とを一体的に設けており、さらに、各要素のコネクタ対は他の要素10a、10b、10cの各々のコネクタ対との回転連結結合に適合している。
【００２７】
第１の要素10aの第１のコネクタ縁部14a1に一体的に設けたコネクタ対が第２の要素10bの第１のコネクタ縁部14b1に一体的に設けた適合するコネクタ対と結合している場合、第２の要素10bの第２のコネクタ縁部14b2に一体的に設けた第２のコネクタ対は第３の要素10cの第１のコネクタ縁部14c1に一体的に設けた適合するコネクタ対と結合し、さらに、第３の要素10cの第２のコネクタ縁部14c2に一体的に設けた第２のコネクタ対は第１の要素10aの第２のコネクタ縁部14a2に一体的に設けた適合するコネクタ対と結合しており、前記第１、第２及び第３の要素10a、10b、10cは堅牢な非回転の条件下で連結されている。
【００２８】
図１２及び１３を参照すると、図１、２及び６に示され且つ関連付けて説明されている連結可能な要素10の修正された変形例50は、少なくとも部分的に平坦である本体52及び複数のコネクタ縁部54を有する。第１のコネクタ対55、第２のコネクタ対56、第３のコネクタ対57及び第４のコネクタ対58は各コネクタ縁部54に一体的に設けられている。
【００２９】
各々のコネクタ対55、56、57、58は、ＡタイプのコネクタとＢタイプのコネクタを有する。各Ａタイプのコネクタは、コネクタ縁部54から延びる２つの柱にそれぞれ配置された２つの玉64、66を有し、さらに、各Ｂタイプのコネクタは、２つの当接用の柱68とコネクタ縁部54から延びた５つの柱にそれぞれ配置された５つの玉64、66、70、72、74を有する。この実施例では、第１及び第３のコネクタ対55、57のＡタイプのコネクタの２つの玉64、66はまた、第２及び第４のコネクタ対56、58のＢタイプのコネクタに含まれ、さらに、第２及び第４のコネクタ対56、58のＡタイプのコネクタは同様に、第１及び第３のコネクタ対55、57のＢタイプのコネクタに含まれる。
【００３０】
ＡタイプのコネクタはＢタイプのコネクタと開放可能でしかも連結可能である。Ａタイプのコネクタの各玉64、66の直径はＢタイプのコネクタの５つの玉64、66、70、72、74の間で形成される各それぞれの開口よりも若干大きい。さらに、玉64、66、70、72、74を支える柱は若干の屈曲性を有し、それによりＡタイプのコネクタの玉64、66は、Ｂタイプのコネクタの玉64、66、70、72、74の間の開口を介して且つ当接用の柱68に向け押し分け入ることが可能であり、その結果、ＡタイプのコネクタとＢタイプのコネクタと間に開放可能な連結結合をもたらす。
【００３１】
図１３を参照すると、第１のコネクタ対55と第３のコネクタ対57は第１の回転軸76の周りに配置され、さらに第２のコネクタ対56と第４のコネクタ対58が第２の回転軸78の周りに配置されている。各コネクタ縁部54として、第１の回転軸76と第２の回転軸78は、一対のほぼ直角をなしそれぞれ異なる指定寸法を有する四辺形に対向する面上にそれぞれ配置されており、さらに、両四辺形は、一般には、連結可能な要素50の少なくとも部分的に平坦である本体52の平面とほぼ直角な平面内に配置されている。一方の四辺形の対角線上で対向する１対の各頂点が第１及び第２のコネクタ対55、56のＡタイプのコネクタの各々に対し内側に位置しており、当該一方の四辺形の対角線上で対向する他の対の各頂点が第１及び第２のコネクタ対55、56のＢタイプのコネクタの各々に対し内側に位置しており、他方の四辺形の対角線上で対向する１対の各頂点が第３及び第４のコネクタ対57、58のＡタイプのコネクタの各々に対し内側に位置しており、当該他方の四辺形の対角線上で対向する他の対の各頂点が第３及び第４のコネクタ対57、58のＢタイプのコネクタの各々に対し内側に位置している。
【００３２】
本発明による構造体組立セットの各連結可能な要素50のＡタイプ及びＢタイプのコネクタ対55、56、57、58は、１つの要素50が任意の他の要素50に対して向きを変えられるか否かに関わらず、構造体組立セットの他の連結可能な要素50の各々のそれぞれＢタイプ及びＡタイプのコネクタ対55、56、57、58との開放可能な回転連結結合に適合している。
【００３３】
１つの連結可能な要素50の１つのコネクタ対が第２の連結可能な要素50の１つのコネクタ対と結合されている場合、結合中のコネクタ対の少なくとも一部分は、図１、２及び６に示され且つ関連付けて説明されている実施例のための上述した変形に類似の方法で少なくとも一時的に変形される。
【００３４】
図示しないけれども、１つの要素50の所定のコネクタ縁部54に一体的に設けた２つのコネクタ対の四辺形が、２つの追加された要素50の各々の所定のコネクタ縁部54に一体的に設けた２つのコネクタ対の四辺形とそれぞれ結合可能であり、それにより、当該１つの要素の所定コネクタ縁部と当該２つの要素のそれぞれ所定のコネクタ縁部との間に連結可能な結合を与えることは明白である。
【００３５】
図１２及び１３に示され且つ関係付けて説明した形状を有する連結可能な要素を含む本発明による組立セットは、また、他の互換性のある連結可能な要素（図示せず）を含み、そこでは、（ａ）１つ以上の当該他の要素の１つ以上の縁部にはそれと共に一体的に設けたコネクタを有せず、（ｂ）１つ以上のコネクタ縁部に一体的に設けた２つより多いコネクタ対があり、（ｃ）平坦である本体の頂部の多角形状は正方形以外のものであり、（ｄ）少なくとも部分的に平坦である本体52は１つ以上の孔および／または１つ以上の平坦でない区画を含んでおり、および／または、（ｅ）その本体は少なくとも部分的には平坦でない。
【００３６】
他の観点において、連結可能な要素50は、図１、２及び６に示され且つ関連付けて説明された連結可能な要素10と同様な特長を有し、さらに、図３乃至５及び図８乃至１１に示され且つ関連付けて説明されたものと同じ方法で他の同様な連結可能な要素50と共に組立てることが可能である。
【００３７】
図１４、１５及び１６を参照すると、本発明による各々の連結可能な要素80のもう一つの好適な実施例では、少なくとも部分的に平坦である本体82及び複数のコネクタ縁部84を含んでいる。
【００３８】
第１のコネクタ対86と第２のコネクタ対88は、各コネクタ縁部84に一体的に設けられている。各コネクタ対は、ＡタイプのコネクタとＢタイプのコネクタを有する。各Ａタイプのコネクタは、コネクタ縁部84から直角に延びているリング90であり、さらに、各Ｂタイプのコネクタは、コネクタ縁部84から直角に延びており且つリング90と直角をなす部分リング92であり、当該部分リング92は、同部分リングがコネクタ縁部84から延びる向きと反対側に配置された溝93を有する。
【００３９】
ＡタイプのコネクタはＢタイプのコネクタと開放可能でしかも連結可能である。Ａタイプのコネクタのリング90の厚みは、Ｂタイプのコネクタの部分リング92の溝93よりも若干大きい。さらに、リング90及び部分リング92の材料（好適にはプラスチック）は若干の屈曲性を有し、それによりＡタイプのコネクタのリング90は、Ｂタイプのコネクタの部分リング92の溝93を介して且つ部分リング92の内側に向け押し分け入ることが可能であり、その結果、ＡタイプのコネクタとＢタイプのコネクタと間に開放可能な連結結合をもたらす。
【００４０】
図１５を参照すると、第１のコネクタ対86は第１の回転軸94の周りに配置され、さらに第２のコネクタ対88が第２の回転軸96の周りに配置されている。各コネクタ縁部84として、第１の回転軸94と第２の回転軸96は、ほぼ直角をなし指定寸法を有する四辺形98に対向する面上に配置されており、当該四辺形98の対角線上で対向する１対の各頂点がＡタイプのコネクタの各々に対し内側に位置しており、当該四辺形98の対角線上で対向する他の対の各頂点がＢタイプのコネクタの各々に対し内側に位置しており、さらに、前記四辺形98は、一般には、連結可能な要素80の少なくとも部分的に平坦である本体82の平面とほぼ直角な平面内に配置されている。
【００４１】
本発明による構造体組立セットの各連結可能な要素80のＡタイプ及びＢタイプのコネクタ対86、88は、１つの要素80が任意の他の要素80に対して向きを変えられるか否かに関わらず、構造体組立セットの他の連結可能な要素80の各々のそれぞれＢタイプ及びＡタイプのコネクタ対86、88との開放可能な回転連結結合に適合している。
【００４２】
１つの連結可能な要素80の１つのコネクタ対が第２の連結可能な要素80の１つのコネクタ対と結合されている場合、結合中のコネクタ対の少なくとも一部分は、部分リング92の溝93が大きくなり、リング90をして溝93を通過せしめる間少なくとも一時的に変形される。そのような変形は、少なくとも一時的に変形されているそれぞれのコネクタ対の回転軸に平行な１つの方向成分を有する。
【００４３】
図１４、１５及び１６に示され且つ関係付けて説明された形状を有する連結可能な要素を含む本発明による組立セットは、また、他の互換性のある連結可能な要素（図示せず）を含み、その中では、（ａ）１つ以上の当該他の要素の１つ以上の縁部にはそれと共に一体的に設けたコネクタを有せず、（ｂ）１つ以上のコネクタ縁部に一体的に設けた２つより多いコネクタ対があり、（ｃ）平坦である本体の頂部の多角形状は正方形以外のものであり、（ｄ）少なくとも部分的に平坦である本体82は１つ以上の孔および／または１つ以上の平坦でない区画を含んでおり、および／または（ｅ）その本体は少なくとも部分的には平坦でない。
【００４４】
連結可能な要素80は、図３乃至５及び図８乃至１１に示され且つ関連付けて説明されたものと同じ方法で他の同様な連結可能な要素80と共に組立てることが可能である。
【００４５】
図１７、１８及び１９を参照すると、本発明による各々の連結可能な要素100のさらにもう一つの好適な実施例では、少なくとも部分的に平坦である本体102及び複数のコネクタ縁部104を含んでいる。
【００４６】
第１のコネクタ対106と第２のコネクタ対108は、各コネクタ縁部104に一体的に設けられている。各コネクタ対は、ＡタイプのコネクタとＢタイプのコネクタを有する。図１９に最もよく示されるように、各Ａタイプのコネクタは、コネクタ縁部104の延設された部分112からのスパン（わたり間）111の端部に配置された蝶番用の円柱110であり、さらに、各Ｂタイプのコネクタは、当該スパン111と、コネクタ縁部104の同じ延設された部分112上に蝶番用の円柱110へのスパン111として配置された一対の間隔を有する蝶番の耳部113とを有する。この実施例において、第１のコネクタ対106のＡタイプのコネクタである蝶番用円柱110へのスパン111はまた、第２のコネクタ対108のＢタイプのコネクタに含まれる。そして同様に、第２のコネクタ対108のＡタイプのコネクタである蝶番用円柱110へのスパン111はまた、第１のコネクタ対106のＢタイプのコネクタに含まれる。
【００４７】
ＡタイプのコネクタはＢタイプのコネクタと開放可能でしかも連結可能である。蝶番用円柱110の直径は、スパン111と蝶番の耳部113の端部の間の開口よりも若干大きい。さらに、蝶番用円柱110、スパン111及び蝶番の耳部113の材料（好適にはプラスチック）は若干の屈曲性を有し、それにより蝶番用円柱110はスパン111と蝶番の耳部113の端部の間の開口を介して且つ蝶番の耳部113の内側に向け押し分け入ることが可能であり、その結果、ＡタイプのコネクタとＢタイプのコネクタと間に開放可能な連結結合をもたらす。
【００４８】
図１８を参照すると、第１のコネクタ対106は第１の回転軸114の周りに配置され、さらに第２のコネクタ対108が第２の回転軸116の周りに配置されている。各コネクタ縁部104として、第１の回転軸114と第２の回転軸116は、ほぼ直角をなし指定寸法を有する四辺形118に対向する面上に配置されており、当該四辺形118の対角線上で対向する１対の各頂点がＡタイプのコネクタの各々に対し内側に位置しており、当該四辺形118の対角線上で対向する他の対の各頂点がＢタイプのコネクタの各々に対し内側に位置しており、さらに、前記四辺形118は、一般には、連結可能な要素100の少なくとも部分的に平坦である本体102の平面とほぼ直角な平面内に配置されている。
【００４９】
本発明による構造体組立セットの各連結可能な要素100のＡタイプ及びＢタイプのコネクタ対106、108は、１つの要素100が任意の他の要素100に対して向きを変えられるか否かに関わらず、構造体組立セットの他の連結可能な要素100の各々のそれぞれＢタイプ及びＡタイプのコネクタ対106、108との開放可能な回転連結結合に適合している。
【００５０】
１つの連結可能な要素100の１つのコネクタ対が第２の連結可能な要素100の１つのコネクタ対と結合されている場合、結合中のコネクタ対の少なくとも一部分は、スパン111と蝶番の耳部113の端部の間の開口が大きくなり、蝶番用円柱110をしてそのような開口を通過せしめる間少なくとも一時的に変形される。そのような変形は、少なくとも一時的に変形されているそれぞれのコネクタ対を有する連結可能な要素100の少なくとも部分的に平坦である本体102の平面に垂直な１つの方向成分を有する。
【００５１】
図１７、１８及び１９に示され且つ関係付けて説明された形状を有する連結可能な要素を含む本発明による組立セットは、また、他の互換性のある連結可能な要素（図示せず）を含み、その中では、（ａ）１つ以上の当該他の要素の１つ以上の縁部にはそれと共に一体的に設けたコネクタを有せず、（ｂ）１つ以上のコネクタ縁部に一体的に設けた２つより多いコネクタ対があり、（ｃ）平坦である本体の頂部の多角形状は正方形以外のものであり、（ｄ）少なくとも部分的に平坦である本体102は１つ以上の孔および／または１つ以上の平坦でない区画を含んでおり、および／または（ｅ）その本体は少なくとも部分的には平坦でない。
【００５２】
連結可能な要素100は、図３乃至５及び図８乃至１１に示され且つ関連付けて説明されたものと同じ方法で他の同様な連結可能な要素100と共に組立てることが可能である。
【００５３】
図２０、２１及び２２を参照すると、本発明による各々の連結可能な要素120のさらに好適な実施例では、少なくとも部分的に平坦である本体122及び複数のコネクタ縁部124を含んでいる。
【００５４】
第１のコネクタ対126と第２のコネクタ対128は、各コネクタ縁部124に一体的に設けられている。各コネクタ対は、ＡタイプのコネクタとＢタイプのコネクタを有する。図２２に最もよく示されるように、各Ａタイプのコネクタは、コネクタ縁部124から延びる第１のロッド対130を有し、その各ロッドは第１のロッド対130の他方のロッド130から見て外方に向いているロッド130の側面にある突起部132を有し、さらに、各Ｂタイプのコネクタは、コネクタ縁部124から延びる第２のロッド対134を有し、その各ロッド134は第２のロッド対134の他方のロッド134と対面するロッド134の側面に設けたくぼみ136を有する。
【００５５】
ＡタイプのコネクタはＢタイプのコネクタと開放可能でしかも連結可能である。突起部132の外側縁部の間の距離は、第２のロッド対134の開口よりも大きく、そしてロッド130及びロッド134の材料（好適にはプラスチック）は若干の屈曲性を有し、それにより一対の突起部132が一対のくぼみの内部に向け押し分け入ることが可能であり、その結果、ＡタイプのコネクタとＢタイプのコネクタと間に開放可能な連結結合をもたらす。
【００５６】
図２１を参照すると、第１のコネクタ対126は第１の回転軸138の周りに配置され、さらに第２のコネクタ対128が第２の回転軸140の周りに配置されている。各コネクタ縁部124として、第１の回転軸138と第２の回転軸140は、ほぼ直角をなし指定寸法を有する四辺形142に対向する面上に配置されており、当該四辺形142の対角線上で対向する１対の各頂点がＡタイプのコネクタの各々に対し内側に位置しており、当該四辺形142の対角線上で対向する他の対の各頂点がＢタイプのコネクタの各々に対し内側に位置しており、さらに、前記四辺形142は、一般には、連結可能な要素120の少なくとも部分的に平坦である本体122の平面とほぼ直角な平面内に配置されている。
【００５７】
本発明による構造体組立セットの各連結可能な要素120のＡタイプ及びＢタイプのコネクタ対126、128は、１つの要素120が任意の他の要素120に対して向きを変えられるか否かに関わらず、構造体組立セットの他の連結可能な要素120の各々のそれぞれＢタイプ及びＡタイプのコネクタ対126、128との開放可能な回転連結結合に適合している。
【００５８】
１つの連結可能な要素120の１つのコネクタ対が第２の連結可能な要素の１つのコネクタ対と結合されている場合、当該結合中のコネクタ対の少なくとも一部分は、Ｂタイプコネクタの第２のロッド対の間の開口が大きくなり、Ａタイプのコネクタからの突起部１３２が圧迫されて当該開口を介し、くぼみ１３６の中へ押し込まれる間少なくとも一時的に変形される。そのような変形は、少なくとも一時的に変形されているそれぞれのコネクタ対の回転軸に平行な１つの方向成分を有する。
【００５９】
図２０、２１及び２２に示され且つ関係付けて説明された形状を有する連結可能な要素を含む本発明による組立セットは、また、他の互換性のある連結可能な要素（図示せず）を含み、そこでは、（ａ）１つ以上の当該他の要素の１つ以上の縁部にはそれと共に一体的に設けたコネクタを有せず、（ｂ）１つ以上のコネクタ縁部に一体的に設けた２つより多いコネクタ対があり、（ｃ）平坦である本体の頂部の多角形状は正方形以外のものであり、（ｄ）少なくとも部分的に平坦である本体１２２は１つ以上の孔および／または１つ以上の平坦でない区画を含んでおり、および／または（ｅ）その本体は少なくとも部分的には平坦でない。
【００６０】
連結可能な要素120は、図３乃至５及び図８乃至１１に示され且つ関連付けて説明されたものと同じ方法で他の同様な連結可能な要素120と共に組立てることが可能である。
【００６１】
図２３、２４及び２５を参照すると、本発明による各々の連結可能な要素150のさらに好適な実施例では、少なくとも部分的に平坦である本体152及び複数のコネクタ縁部154を含んでいる。第１のコネクタ対155、第２のコネクタ対156、第３のコネクタ対157及び第４のコネクタ対158は、各コネクタ縁部154に一体的に設けられている。
【００６２】
各コネクタ対は、ＡタイプのコネクタとＢタイプのコネクタを有する。各Ａタイプのコネクタは、コネクタ縁部154から延びる鉤爪160であって、コネクタ縁部154の近端部に向いた当該鉤爪の側面からの突起部162を有する。各Ｂタイプのコネクタは、コネクタ縁部154の側面から延びる鉤爪164であって、コネクタ縁部154の遠端部に向いた当該鉤爪164の側面にあるくぼみ166を有する。
【００６３】
ＡタイプのコネクタはＢタイプのコネクタと開放可能でしかも連結可能である。鉤爪160、164は若干の屈曲性を有する材料（好適にはプラスチック）で作られ、それにより、コネクタ対の間隔に応じてＡタイプのコネクタの鉤爪160からの突起部162が、Ｂタイプのコネクタの鉤爪164内のくぼみ166の内部に向け押し分け入ることが可能であり、その結果、ＡタイプのコネクタとＢタイプのコネクタと間に開放可能な連結結合をもたらす。
【００６４】
図２４を参照すると、第１のコネクタ対155と第３のコネクタ対157は第１の回転軸168の周りに配置され、さらに第２のコネクタ対156と第４のコネクタ対158が第２の回転軸170の周りに配置されている。各コネクタ縁部154として、第１の回転軸168と第２の回転軸170は、一対のほぼ直角をなしそれぞれ異なる指定寸法を有する四辺形に対向する面上にそれぞれ配置されており、そして、当該両四辺形は一般には連結可能な要素150の少なくとも部分的には平坦である本体152の平面にほぼ垂直な平面内に配置されている。一方の四辺形の対角線上で対向する１対の各頂点が、第１及び第２のコネクタ対155、156のＡタイプのコネクタの各々に対し内側に位置しており、また当該一方の四辺形の対角線上で対向する他の対の各頂点が、第１及び第２のコネクタ対155、156のＢタイプのコネクタの各々に対し内側に位置している。さらに、他方の四辺形の対角線上で対向する１対の各頂点が、第３及び第４のコネクタ対157、158のＡタイプのコネクタの各々に対し内側に位置しており、また、当該他方の四辺形の対角線上で対向する他の対の各頂点が、第３及び第４のコネクタ対157、158のＢタイプのコネクタの各々に対し内側に位置している。
【００６５】
本発明による構造体組立セットの各連結可能な要素150のＡタイプ及びＢタイプのコネクタ対155、156、157、158は、１つの要素150が任意の他の要素150に対して向きを変えられるか否かに関わらず、構造体組立セットの他の連結可能な要素150の各々のそれぞれＢタイプ及びＡタイプのコネクタ対155、156、157、158との開放可能な回転連結結合に適合している。
【００６６】
１つの連結可能な要素150の１つのコネクタ対が第２の連結可能な要素150の１つのコネクタ対と結合されている場合、当該結合中のコネクタ対の少なくとも一部分は、突起部162とくぼみ166を規定する鉤爪164の側面とが変形され突起部162がくぼみ166の中へ押し込まれる間少なくとも一時的に変形される。そのような変形は、少なくとも一時的に変形されているそれぞれのコネクタ対の回転軸に平行な１つの方向成分を有する。
【００６７】
図２３、２４及び２５に示され且つ関係付けて説明された形状を有する連結可能な要素を含む本発明による組立セットは、また、他の互換性のある連結可能な要素（図示せず）を含み、そこでは、（ａ）１つ以上の当該他の要素の１つ以上の縁部にはそれと共に一体的に設けたコネクタを有せず、（ｂ）１つ以上のコネクタ縁部に一体的に設けた４つより多いコネクタ対があり、（ｃ）平坦である本体の頂部の多角形状は正方形以外のものであり、（ｄ）少なくとも部分的に平坦である本体152は１つ以上の孔および／または１つ以上の平坦でない区画を含んでおり、および／または（ｅ）その本体は少なくとも部分的には平坦でない。
【００６８】
連結可能な要素150は、図３乃至５及び図８乃至１１に示され且つ関連付けて説明されたものと同じ方法で他の同様な連結可能な要素150と共に組立てることが可能である。
【００６９】
図２６、２７を参照すると、本発明による各々の連結可能な要素180のさらに好適な実施例では、少なくとも部分的に平坦である本体182及び複数のコネクタ縁部184を含んでいる。
【００７０】
第１のコネクタ対185、第２のコネクタ対186、第３のコネクタ対187及び第４のコネクタ対188は、各コネクタ縁部184に一体的に設けられている。
【００７１】
各第１及び第２のコネクタ対185、186は、ＡタイプのコネクタとＢタイプのコネクタを有する。各Ａタイプのコネクタは、コネクタ縁部184から直角に延びるリング90であり、また、各Ｂタイプのコネクタは、コネクタ縁部184から直角に延び且つ前記各リング90と直角をなす部分リング92であって、図１４乃至１６に示され関係付けて説明されているように、部分リング92には、同部分リング92がコネクタ縁部184から延びる方向と反対側に配置された溝93を有する。
【００７２】
各第３及び第４のコネクタ対187、188は、ＣタイプのコネクタとＤタイプのコネクタを有する。各Ｃタイプのコネクタは、コネクタ縁部184から延びる第１の一対のロッド130を有し、その各ロッドには、第１の対の他のロッド130から離れる方へ向いたロッド130側面に配置された突起部132を有しており、また、各Ｄタイプのコネクタは、コネクタ縁部184から延びる第２の一対のロッド134を有し、その各ロッド134には、図２０乃至２２に示され関係付けて説明されているように、第２の対の他のロッド134へ向いたロッド134の側面にくぼみ136を有する。
【００７３】
図２７を参照すると、第１のコネクタ対185と第３のコネクタ対187は第１の回転軸190の周りに配置され、さらに第２のコネクタ対186と第４のコネクタ対188が第２の回転軸192の周りに配置されている。各コネクタ縁部184として、第１の回転軸190と第２の回転軸192は、一対のほぼ直角をなしそれぞれ異なる指定寸法を有する四辺形に対向する面上にそれぞれ配置されており、そして、各四辺形は一般には連結可能な要素180の少なくとも部分的には平坦である本体182の平面にほぼ垂直な平面内に配置されている。
【００７４】
第１の四辺形の対角線上で対向する１対の各頂点が、第１及び第２のコネクタ対185、186のＡタイプのコネクタの各々に対し内側に位置しており、また当該第１の四辺形の対角線上で対向する他の対の各頂点が、第１及び第２のコネクタ対185、186のＢタイプのコネクタの各々に対し内側に位置している。さらに、第２の四辺形の対角線上で対向する１対の各頂点が、第３及び第４のコネクタ対187、188のＣタイプのコネクタの各々に対し内側に位置しており、また、当該第２の四辺形の対角線上で対向する他の対の各頂点が、第３及び第４のコネクタ対187、188のＤタイプのコネクタの各々に対し内側に位置している。
【００７５】
図２６及び２７に示され且つ関係付けて説明された形状を有する連結可能な要素を含む本発明による組立セットは、また、他の互換性のある連結可能な要素（図示せず）を含み、そこでは、（ａ）１つ以上の当該他の要素の１つ以上の縁部にはそれと共に一体的に設けたコネクタを有せず、（ｂ）１つ以上のコネクタ縁部に一体的に設けた４つより多いコネクタ対があり、（ｃ）平坦である本体の頂部の多角形状は正方形以外のものであり、（ｄ）少なくとも部分的に平坦である本体１８２は１つ以上の孔および／または１つ以上の平坦でない区画を含んでおり、および／または（ｅ）その本体は少なくとも部分的には平坦でない。
【００７６】
連結可能な要素180は、図３乃至５及び図８乃至１１に示され且つ関連付けて説明されたものと同じ方法で他の同様な連結可能な要素180と共に組立てることが可能である。
【００７７】
図２６、２７の実施例の代替的変形において、１つ以上の追加的コネクタ対が回転軸190の周りに配置され、同じ数の追加的コネクタ対が回転軸192の周りに配置されている。所定のコネクタ縁部に一体的に設けて結合された異なるタイプのコネクタ対が同じ回転軸を有し且つ寸法上は互いに互換性を持たないという条件のもとで、そうした追加的コネクタ対は、図１、２及び６、図１７乃至１９および／または、図２３乃至２５に示され且つ関係付けて説明されたタイプあるいは、ここで具体的に示されまたは説明されてないタイプのような、Ａタイプ及びＢタイプのコネクタ対またはＣタイプ及びＤタイプのコネクタ対のいずれかのコネクタ対であってもよいし、または、それらと異なるタイプのコネクタ対であってもよい。
【００７８】
様々な代替的実施例においては、（ａ）コネクタ縁部は、真直ぐである必要はなく；（ｂ）コネクタ縁部は、任意の厚く、および／または薄い形状を有することが可能であり；（ｃ）コネクタ縁部は、それぞれの連結可能な要素の少なくとも部分的に平坦である本体の平面ないに配置される必要はなく；（ｄ）コネクタは、それぞれを一体的に設けたコネクタ縁部と直接的に結合される必要はなく；（ｅ）連結可能な要素の縁部は、コネクタ縁部であるか、またはいかなる特定の長さを有する必要はなく、さらに、例えば、連結可能な要素にある孔の内部周辺長さの全部または一部とすることが可能であり；（ｆ）コネクタまたはコネクタ対は開放可能である必要はなく、永久的に結合したまま連結されることが可能であり；（ｇ）コネクタ縁部は、多くの同一および／または異なるコネクタ対を有してもよく：（ｈ）コネクタ縁部の全長がコネクタ対で満たされていてもよく；（ｉ）全てのＡタイプのコネクタが全てのＢタイプのコネクタとの回転連結結合に適合している、ただしその場合、全てのＡタイプのコネクタが同一であるとか、全てのＢタイプのコネクタが同一であることを意味しない；（ｊ）ＡタイプのコネクタとＢタイプのコネクタとは、必ずしも異なってはいない；（ｋ）２つの連結された要素の１つの要素が他の要素に対して向きを変えることができるということは必要条件ではない；（ｌ）２つより多い連結可能な要素が、図８、９及び１０に示されるように、共通な多くのコネクタ縁部に沿って互いに連結可能であるということは必要条件ではない；（ｍ）ここに示された実施例において、要素は正方形の形状として示されているが、当該要素は、他の正多角形、例えば、正三角形、正五角形、正六角形等、各辺間の角度が不同な非正多角形、非多角形ならびに事実上任意の他の形状のような他の形状であってもよい；（ｎ）構造体組立セットの少なくとも２つの連結可能な要素は少なくとも部分的に平坦である本体を有するが、そうした条件は構造体組立セットの全ての要素に対して要求されない；（ｏ）構造体組立セットの少なくとも２つの要素が第１のコネクタ対と第２のコネクタ対を有するが、いずれの要素も任意の追加的コネクタ対を有するということは要求されない；（ｐ）構造体組立セットは、唯１つのコネクタ対を有するコネクタ縁部を備えた互換性のある連結可能な要素を有してもよい；（ｑ）コネクタは、寸法や結合性、密着性の如きいかなる制限も有しない;（ｒ）コネクタは、同一コネクタ縁部に一体的に設けた別のコネクタの部分の間の全部または一部に配置されることが可能であり；（ｓ）開放可能な回転連結結合は、いかなる最小回転角度を制限するものではなく；（ｔ）２つの連結された要素は、当該要素が互いに開放される位置で少なくとも部分的に平坦である本体の平面の間のより小さな閾値角度を必ずしも有しない；（ｕ）連結結合は、あるコネクタの任意の部分を少なくとも一時的な変形を要求するものではなく、代替的には、連結結合が摩擦や粘着性または同様なものであることも可能であり；（ｖ）連結結合された要素は、必ずしも互いに分離するのを機械的に妨げられものではなく；（ｗ）構造体組立セットの要素は、等身大または模型サイズでもよく；（��）構造体組立セットの要素には、例えば、窓、ドアー、車輪、エンジン、検出器、チップ、および／または他の構成部品を含むことも可能であり、；（ｙ）構造体組立セットは、本体が少なくとも部分的に平坦でない互換性のある連結可能な要素を有することが可能であり；および／または、（ｚ）ここに描写した図は説明上の好適実施例として相対的な縮尺によるものであるが、コネクタはそれぞれの連結可能な要素のすべての寸法に関しより大きくまたはより小さくされることが可能である。
【００７９】
上述した実施例及びここに記載されていない他の実施例は、玩具としての用途、および／または教育上の用途あるいは、ビルディング、家具、容器及び展示装置の組立のような他の用途に適用される。
【００８０】
構造体組立セットの要素は、主としてプラスチックの射出成形によって作られることが可能である。ここで述べた幾つかのコネクタの屈曲または変形する特性の故に、コネクタは、金型から取出される間、屈曲しまたは変形可能であり、それにより金型から要素を取出すために抜き取る側面の中子の使用の必要性を除去ないしは減少させる。
【００８１】
ここで具体的に述べた利点は、本発明の全ての考え得る実施例に必ずしも当てはまるものではない。さらに、本発明のそのように述べた利点は、ほんの一例であり、本発明の唯一の利点と解釈されるべきではない。上記の記載は多くの具体例を含むものではあるが、これらは本発明の範囲を限定するものとしてではなく、むしろここに記載された好適実施例の一例と解釈されるべきである。他の変形も可能であり、従って、本発明の範囲はここに述べた実施例によってではなく、むしろ特許請求の範囲及びその法的均等物によって決定されるべきである。特許請求の範囲にはなんら暗黙の制限的要件はない。各請求項は、記載されているように、あるいはその法的均等物によって、明確に解釈されるべきものである。
【図面の簡単な説明】
【００８２】
【図１】本発明による連結可能な要素の１つの好適な実施例の平面図である。
【図２】図１の連結可能な要素の正面図であって、当該要素の正面の縁部に近い側面側の縁部にあるコネクタのみが示されている。
【図３】図１及び図２に示す形状を有する２つの連結可能な要素が同一平面状にある場合の連結結合を例示する。
【図４】図１及び図２に示す形状を有する２つの連結可能な要素の一方が他方の要素に対し回転される場合の連結結合を例示する。
【図５】図１及び図２に示す形状を有する２つの連結可能な要素の一方が他方の要素に対し図４に示す向きからさらに回転される場合の連結結合を例示する。
【図６】図１及び図２の連結可能な要素のコーナー部の斜視図である。
【図７】図１及び図２の連結可能な要素の代替的好適実施例のコーナー部の斜視図である。
【図８】図１、２及び６に示す形状を有する複数の連結可能な要素コネクタ縁部の間で同時に連結結合する１つの実施例を示す。
【図９】図１、２及び６に示す形状を有する複数の連結可能な要素コネクタ縁部の間で同時に連結結合するもう一つの実施例を示す。
【図１０】図１、２及び６に示す形状を有する複数の連結可能な要素コネクタ縁部の間で同時に連結結合するさらにもう一つの実施例を示す。
【図１１】コーナー部構造を組立てるため連結されている図１、２及び６に示す形状を有する３個の連結可能な要素の斜視図である。
【図１２】１、２及び６の連結可能な要素の修正変形例の平面図である。
【図１３】図１２の連結可能な要素の正面図である。
【図１４】本発明による連結可能な要素のもう一つの好適な実施例の平面図である。
【図１５】図１４の連結可能な要素の正面図である。
【図１６】図１４と１５の連結可能な要素のコーナー部の斜視図である。
【図１７】本発明による連結可能な要素のさらにもう一つの好適な実施例の平面図である。
【図１８】図１７の連結可能な要素の正面図であって、当該要素の正面の縁部に近い側面側の縁部にあるコネクタのみが示されている。
【図１９】図１７と１８の連結可能な要素のコーナー部の斜視図である。
【図２０】本発明による連結可能な要素のさらに好適な実施例の平面図である。
【図２１】図２０の連結可能な要素の正面図であって、当該要素の正面の縁部に近い側面側の縁部にあるコネクタのみが示されている。
【図２２】図２０と２１の連結可能な要素のコーナー部の斜視図である。
【図２３】本発明による連結可能な要素のなおさらなる好適な実施例の平面図である。
【図２４】図２３の連結可能な要素の正面図である。
【図２５】図２３と２４の連結可能な要素のコーナー部の斜視図である。
【図２６】本発明による連結可能な要素のさらにまた別の好適な実施例の平面図である。
【図２７】図２６の連結可能な要素の正面図であって、当該要素の正面の縁部に近い側面側の縁部にあるコネクタのみが示されている。
【図１】
2005524502.tif 000003
【図２】
2005524502.tif 000004
【図３】
2005524502.tif 000005
【図４】
2005524502.tif 000006
【図５】
2005524502.tif 000007
【図６】
2005524502.tif 000008
【図７】
2005524502.tif 000009
【図８】
2005524502.tif 000010
【図９】
2005524502.tif 000011
【図１０】
2005524502.tif 000012
【図１１】
2005524502.tif 000013
【図１２】
2005524502.tif 000014
【図１３】
2005524502.tif 000015
【図１４】
2005524502.tif 000016
【図１５】
2005524502.tif 000017
【図１６】
2005524502.tif 000018
【図１７】
2005524502.tif 000019
【図１８】
2005524502.tif 000020
【図１９】
2005524502.tif 000021
【図２０】
2005524502.tif 000022
【図２１】
2005524502.tif 000023
【図２２】
2005524502.tif 000024
【図２３】
2005524502.tif 000025
【図２４】
2005524502.tif 000026
【図２５】
2005524502.tif 000027
【図２６】
2005524502.tif 000028
【図２７】
2005524502.tif 000029
【国際調査報告】
2005524502.tif 000030
2005524502.tif 000031
2005524502.tif 000032